(57)【要約】  【課題】  コンテンツの転送をより効果的に制限すること。  【解決手段】  コンテンツ３６とともに条件３５をコンテンツサーバ３から収集するコンテンツ収集部２１と、移動体通信端末１の位置を測定する位置測定部２５と、コンテンツ３６を他の端末４に転送するコンテンツ送信部２８と、その位置が条件３５を満たさないときにコンテンツ３６を転送することを禁止し、その位置が条件３５を満たすときにコンテンツ３６を転送することを許可する判別部２７とを備えている。このとき、移動体通信端末１は、条件３５に示される場所に配置されているときにのみ、コンテンツ３６を他の端末４転送することができる。  【選択図】図１
2005141688.tif 000002
【特許請求の範囲】
【請求項１】
コンテンツとともに条件をコンテンツサーバから収集するコンテンツ収集部と、
当該移動体通信端末の位置を測定する位置測定部と、
前記コンテンツを他の端末に転送するコンテンツ送信部と、
前記位置が前記条件を満たさないときに前記コンテンツを転送することを禁止し、前記位置が前記条件を満たすときに前記コンテンツを転送することを許可する判別部
とを具備する移動体通信端末。
【請求項２】
請求項１において、
前記コンテンツ送信部は、前記コンテンツととも前記条件を前記他の端末に転送する
移動体通信端末。
【請求項３】
請求項１または請求項２のいずれかにおいて、
前記位置測定部は、ＧＰＳ衛星から出力される電波を用いて前記位置を測定する
移動体通信端末。
【請求項４】
請求項１〜請求項３のいずれかにおいて、
前記コンテンツ収集部は、近距離通信を介して、前記コンテンツサーバから前記コンテンツを収集する
移動体通信端末。
【請求項５】
請求項４において、
前記コンテンツ収集部は、赤外線通信を介して、前記コンテンツサーバから前記コンテンツを収集する
移動体通信端末。
【請求項６】
請求項１〜請求項５のいずれかにおいて、
携帯電話機と兼用される
移動体通信端末。
【請求項７】
請求項１〜請求項６のいずれかにおいて、
前記条件を示すヘッダ部分と前記コンテンツを示すペイロード部分とから形成されるコンテンツデータから前記条件を抽出する送信条件取得部を更に具備し、
前記コンテンツ収集部は、前記コンテンツサーバから前記コンテンツデータを収集することにより、前記コンテンツと前記条件とを収集し、
前記コンテンツ送信部は、前記コンテンツデータを前記他の端末に転送することにより、前記コンテンツと前記条件とを前記他の端末に転送する
移動体通信端末。
【請求項８】
コンテンツとともに条件をコンテンツサーバから移動体通信端末に配信するステップと、
前記移動体通信端末の位置を測定するステップと、
前記位置が前記条件を満たすときに、前記コンテンツを他の端末に転送するステップとを具備し、
前記コンテンツは、前記位置が前記条件を満たさないときに、前記他の端末に転送されない
コンテンツ管理方法。
【請求項９】
請求項８において、
前記コンテンツは、前記条件とともに前記他の端末に転送される
コンテンツ管理方法。
【請求項１０】
請求項８または請求項９のいずれかにおいて、
前記位置は、ＧＰＳ衛星から出力される電波を用いて測定される
コンテンツ管理方法。
【請求項１１】
請求項８〜請求項１０のいずれかにおいて、
前記コンテンツは、近距離通信を介して前記コンテンツサーバから前記移動体通信端末に配信される
コンテンツ管理方法。
【請求項１２】
請求項１１において、
前記コンテンツは、赤外線通信を介して前記コンテンツサーバから前記移動体通信端末に配信される
コンテンツ管理方法。
【請求項１３】
請求項８〜請求項１２のいずれかにおいて、
前記移動体通信端末は、携帯電話機と兼用される
コンテンツ管理方法。
【請求項１４】
請求項８〜請求項１３のいずれかにおいて、
前記条件を示すヘッダ部分と前記コンテンツを示すペイロード部分とから形成されるコンテンツデータから前記条件を抽出するステップを更に具備し、
前記コンテンツサーバは、前記コンテンツデータを配信することにより、前記コンテンツと前記条件とを配信し、
前記移動体通信端末は、前記コンテンツデータを前記他の端末に転送することにより、前記コンテンツと前記条件とを前記他の端末に転送する
コンテンツ管理方法。
【請求項１５】
コンテンツとともに条件をコンテンツサーバから収集するコンテンツ収集部と、
特定データ出力装置から出力される特定データを受信する特定データ受信部と、
前記コンテンツを他の端末に転送するコンテンツ送信部と、
前記特定データが前記条件を満たさないときに前記コンテンツを転送することを禁止し、前記特定データが前記条件を満たすときに前記コンテンツを転送することを許可する判別部
とを具備する移動体通信端末。
【請求項１６】
請求項１５において、
前記特定データ出力装置は、近距離通信を介して前記特定データを出力する
移動体通信端末。
【請求項１７】
請求項１６において、
前記特定データ出力装置は、赤外線通信を介して前記特定データを出力する
移動体通信端末。
【請求項１８】
請求項１５において、
前記特定データ出力装置は、移動体通信に利用される基地局である
移動体通信端末。
【請求項１９】
移動体通信端末と、
コンテンツと条件とを前記移動体通信端末に公開するコンテンツサーバとを具備し、
前記移動体通信端末は、
前記コンテンツとともに前記条件をコンテンツサーバから収集するコンテンツ収集部と、
当該移動体通信端末の位置を測定する位置測定部と、
前記コンテンツを他の端末に転送するコンテンツ送信部と、
前記位置が前記条件を満たさないときに前記コンテンツを転送することを禁止し、前記位置が前記条件を満たすときに前記コンテンツを転送することを許可する判別部とを備える
移動体通信システム。
【請求項２０】
請求項１９において、
前記コンテンツ送信部は、前記コンテンツととも前記条件を前記他の端末に転送する
移動体通信システム。
【請求項２１】
請求項１９または請求項２０のいずれかにおいて、
前記位置測定部は、ＧＰＳ衛星から出力される電波を用いて前記位置を測定する
移動体通信システム。
【請求項２２】
請求項１９〜請求項２１のいずれかにおいて、
前記コンテンツ収集部は、近距離通信を介して、前記コンテンツサーバから前記コンテンツを収集する
移動体通信システム。
【請求項２３】
請求項２２において、
前記コンテンツ収集部は、赤外線通信を介して、前記コンテンツサーバから前記コンテンツを収集する
移動体通信システム。
【請求項２４】
請求項１９〜請求項２３のいずれかにおいて、
前記移動体通信端末は、携帯電話機と兼用される
移動体通信システム。
【請求項２５】
請求項１９〜請求項２４のいずれかにおいて、
前記移動体通信端末は、前記条件を示すヘッダ部分と前記コンテンツを示すペイロード部分とから形成されるコンテンツデータから前記条件を抽出する送信条件取得部を更に備え、
前記コンテンツ収集部は、前記コンテンツサーバから前記コンテンツデータを収集することにより、前記コンテンツと前記条件とを収集し、
前記コンテンツ送信部は、前記コンテンツデータを前記他の端末に転送することにより、前記コンテンツと前記条件とを前記他の端末に転送する
移動体通信システム。
【発明の詳細な説明】
【技術分野】
【０００１】
本発明は、移動体通信端末及びコンテンツ管理方法に関し、特に、コンテンツを転送するときに利用される移動体通信端末及びコンテンツ管理方法に関する。
【背景技術】
【０００２】
大量の情報量のコンテンツを移動体通信端末がいつでも、かつ、どこにいても受信することができるユビキタス・ネットが普及している。このようなユビキタス・ネットによれば、移動体通信端末は、音楽や映像、ゲームなどのコンテンツ、電子商取引などで届けられるコンテンツに例示される、いわゆるリッチ・コンテンツをいつでも手に入れることができる。移動体通信端末は、このユビキタス・ネットにより、さらに、入手したリッチ・コンテンツを他の情報処理装置に転送することができる。
【０００３】
観光地のおみやげ物店に例示される対面販売を基本としてきた店舗は、集客力を上げて、売り上げを伸ばすビジネス手法を取っている。その店舗は、受信範囲が近距離しか電波が届かない通信手段を用いて、その店舗でしか受信できない魅力あるコンテンツを移動体通信端末に提供することにより、集客することができる。その通信手段としては、赤外線通信、Ｂｌｕｅｔｏｏｔｈ、無線ＬＡＮ（ＩＥＥＥ８０２．１１ｂ）などが例示される。しかしながら、そのコンテンツは、ユビキタス・ネットを介して流通することにより、希少性がなくなり、その魅力が落ちることがある。このとき、その魅力が落ちたコンテンツは、店舗の集客力を上げることが困難である。このようなコンテンツの転送をより効果的に制限して、コンテンツの魅力を保護するシステムが望まれている。
【０００４】
特開２００２−２６２２２７号公報には、記録した情報を、製作者の意図に反してインタネットなどへ送信することを防ぐ、あるいは、送信しても利用を難しくするディジタル情報記録装置、送信装置および送受信装置が開示されている。そのディジタル情報記録装置は、映像音声情報に伴う制御情報に、コピー制限をする情報と、インタネットなど通信回線を介して送信することの可否を示す情報を設ける。送信を制御する情報を記録媒体へ記録する際は、デバイスキー、コンテンツキーなどを用いて暗号化する。媒体が取り外され、パーソナルコンピュータに取り付けられて送信しても、情報を復号することが困難となる。
【０００５】
特開２００３−２０３１３３号公報には、コンテンツ利用の可搬性を確保し、複数の契約者による利用者端末の同時利用を実現できるコンテンツ利用条件管理システムが開示されている。そのコンテンツ利用条件管理システムでは、コンテンツ利用端末は、インタフェース部によりコンテンツ利用の可否を携帯型コンテンツ利用条件管理装置に無線で確認し、確認結果であるコンテンツ利用許諾情報を取得する。携帯型コンテンツ利用条件管理装置は、著作権情報蓄積管理部でコンテンツ利用条件を蓄積管理し、インターフェース部によりコンテンツ利用端末からコンテンツ利用の可否の確認を無線で受信する。著作権情報管理部は、受信されたその確認に応じ、蓄積されているコンテンツ利用条件に基づいてコンテンツ利用の可否を判断し、判断結果であるコンテンツ利用許諾情報を作成して、インターフェース部から無線で送信する。
【０００６】
【特許文献１】特開２００２−２６２２２７号公報
【特許文献２】特開２００３−２０３１３３号公報
【発明の開示】
【発明が解決しようとする課題】
【０００７】
本発明の課題は、コンテンツの転送をより効果的に制限する移動体通信端末及びコンテンツ管理方法を提供することにある。
【課題を解決するための手段】
【０００８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００９】
本発明による移動体通信端末（１）は、コンテンツ（３６）とともに条件（３５）をコンテンツサーバ（３）から収集するコンテンツ収集部（２１）と、当該移動体通信端末（１）の位置を測定する位置測定部（２５）と、コンテンツ（３６）を他の端末（４）に転送するコンテンツ送信部（２８）と、その位置が条件（３５）を満たさないときにコンテンツ（３６）を転送することを禁止し、その位置が条件（３５）を満たすときにコンテンツ（３６）を転送することを許可する判別部（２７）とを備えている。
【００１０】
移動体通信端末（１）は、条件（３５）に示される場所に配置されているときにのみ、コンテンツ（３６）を他の端末（４）に転送することができる。ユーザは、コンテンツ（３６）とともに条件（３５）を移動体通信端末（１）に配信することにより、コンテンツ（３６）の転送をより効果的に制限することができる。
【００１１】
コンテンツ送信部（２８）は、コンテンツ（３６）ととも条件（３５）を他の端末（４）に転送する。その端末（４）は、移動体通信端末（１）と同様の機能を有する場合で、条件（３５）に示される場所に配置されているときに、コンテンツ（３６）をさらに他の端末に転送することができる。このとき、コンテンツ（３６）は、より確実に転送を制限される。
【００１２】
位置測定部（２５）は、ＧＰＳ衛星（７）から出力される電波を用いて位置を測定することが好ましい。
【００１３】
コンテンツ収集部（２１）は、近距離通信を介して、コンテンツサーバ（３）からコンテンツ（３６）を収集することが好ましい。コンテンツ収集部（２１）は、赤外線通信を介して、コンテンツサーバ（３）からコンテンツ（３６）を収集することがさらに好ましい。
【００１４】
本発明による移動体通信端末（１）は、携帯電話機と兼用されることが好ましい。
【００１５】
本発明による移動体通信端末（１）は、条件（３５）を示すヘッダ部分（３２）とコンテンツ（３６）を示すペイロード部分（３３）とから形成されるコンテンツデータ（３１）から条件（３５）を抽出する送信条件取得部（２４）を更に備えていることが好ましい。このとき、コンテンツ収集部（２１）は、コンテンツサーバ（３）からコンテンツデータ（３１）を収集することにより、コンテンツ（３６）と条件（３５）とを収集する。コンテンツ送信部（２８）は、コンテンツデータ（３１）を他の端末（４）に転送することにより、コンテンツ（３６）と条件（３５）とを他の端末（４）に転送する。
【００１６】
本発明によるコンテンツ管理方法は、コンテンツ（３６）とともに条件（３５）をコンテンツサーバ（３）から移動体通信端末（１）に配信するステップ（Ｓ１）と、移動体通信端末（１）の位置を測定するステップ（Ｓ１２）と、その位置が条件（３５）を満たすときに、コンテンツ（３６）を他の端末（４）に転送するステップ（Ｓ１４）とを備えている。このとき、コンテンツ（３６）は、その位置が条件（３５）を満たさないときに、他の端末（４）に転送されない。
【００１７】
移動体通信端末（１）は、条件（３５）に示される場所に配置されているときにのみ、コンテンツ（３６）を他の端末（４）に転送することができる。ユーザは、コンテンツ（３６）とともに条件（３５）を移動体通信端末（１）に配信することにより、コンテンツ（３６）の転送をより効果的に制限することができる。
【００１８】
コンテンツ（３６）は、条件（３５）とともに他の端末（４）に転送される。その端末（４）は、移動体通信端末（１）と同様の機能を有する場合で、条件（３５）に示される場所に配置されているときに、コンテンツ（３６）をさらに他の端末に転送することができる。このとき、コンテンツ（３６）は、より確実に転送を制限される。
【００１９】
その位置は、ＧＰＳ衛星（７）から出力される電波を用いて測定されることが好ましい。
【００２０】
コンテンツ（３６）は、近距離通信を介してコンテンツサーバ（３）から移動体通信端末（１）に配信されることが好ましい。コンテンツ（３６）は、赤外線通信を介してコンテンツサーバ（３）から移動体通信端末（１）に配信されることがさらに好ましい。
【００２１】
移動体通信端末（１）は、携帯電話機と兼用されることが好ましい。
【００２２】
本発明による移動体通信端末（１）は、条件（３５）を示すヘッダ部分（３２）とコンテンツ（３６）を示すペイロード部分（３３）とから形成されるコンテンツデータ（３１）から条件（３５）を抽出するステップ（Ｓ１１、Ｓ２１）を更に備えていることが好ましい。このとき、コンテンツサーバ（３）は、コンテンツデータ（３１）を配信することにより、コンテンツ（３６）と条件（３５）とを配信する。移動体通信端末（１）は、コンテンツデータ（３１）を他の端末（４）に転送することにより、コンテンツ（３６）と条件（３５）とを他の端末（４）に転送する。
【００２３】
本発明による移動体通信端末（１）は、コンテンツ（３６）とともに条件（３５）をコンテンツサーバ（３）から収集するコンテンツ収集部（２１）と、特定データ出力装置（８）から出力される特定データを受信する特定データ受信部と、コンテンツ（３６）を他の端末（４）に転送するコンテンツ送信部（２８）と、特定データが条件（３５）を満たさないときにコンテンツ（３６）を転送することを禁止し、特定データが条件（３５）を満たすときにコンテンツ（３６）を転送することを許可する判別部（２７）とを備えている。
【００２４】
その特定データは、特定データ出力装置（８）を互いに識別している。移動体通信端末（１）は、条件（３５）を満たす特定データを受信したときにのみ、コンテンツ（３６）を他の端末（４）に転送することができる。ユーザは、コンテンツ（３６）とともに条件（３５）を移動体通信端末（１）に配信することにより、コンテンツ（３６）の転送をより効果的に制限することができる。
【００２５】
特定データ出力装置（８）は、近距離通信を介して特定データを出力することが好ましい。特定データ出力装置（８）は、赤外線通信を介して特定データを出力することが好ましい。
【００２６】
特定データ出力装置（８）は、移動体通信に利用される基地局であることが好ましい。
【００２７】
本発明による移動体通信システム（２）は、移動体通信端末（１）と、コンテンツ（３６）と条件（３５）とを移動体通信端末（１）に公開するコンテンツサーバ（３）とを備えている。移動体通信端末（１）は、コンテンツ（３６）とともに条件（３５）をコンテンツサーバ（３）から収集するコンテンツ収集部（２１）と、当該移動体通信端末（１）の位置を測定する位置測定部（２５）と、コンテンツ（３６）を他の端末（４）に転送するコンテンツ送信部（２８）と、その位置が条件（３５）を満たさないときにコンテンツ（３６）を転送することを禁止し、その位置が条件（３５）を満たすときにコンテンツ（３６）を転送することを許可する判別部（２７）とを備えている。
【００２８】
移動体通信端末（１）は、条件（３５）に示される場所に配置されているときにのみ、コンテンツ（３６）を他の端末（４）に転送することができる。ユーザは、コンテンツ（３６）とともに条件（３５）を移動体通信端末（１）に配信することにより、コンテンツ（３６）の転送をより効果的に制限することができる。
【００２９】
コンテンツ送信部（２８）は、コンテンツ（３６）ととも条件（３５）を他の端末（４）に転送する。その端末（４）は、移動体通信端末（１）と同様の機能を有する場合で、条件（３５）に示される場所に配置されているときに、コンテンツ（３６）をさらに他の端末に転送することができる。このとき、コンテンツ（３６）は、より確実に転送を制限される。
【００３０】
位置測定部（２５）は、ＧＰＳ衛星（７）から出力される電波を用いて位置を測定することが好ましい。
【００３１】
コンテンツ収集部（２１）は、近距離通信を介して、コンテンツサーバ（３）からコンテンツ（３６）を収集することが好ましい。コンテンツ収集部（２１）は、赤外線通信を介して、コンテンツサーバ（３）からコンテンツ（３６）を収集することが好ましい。
【００３２】
移動体通信端末（１）は、携帯電話機と兼用されることが好ましい。
【００３３】
移動体通信端末（１）は、条件（３５）を示すヘッダ部分（３２）とコンテンツ（３６）を示すペイロード部分（３３）とから形成されるコンテンツデータ（３１）から条件（３５）を抽出する送信条件取得部（２４）を更に備えていることが好ましい。このとき、コンテンツ収集部（２１）は、コンテンツサーバ（３）からコンテンツデータ（３１）を収集することにより、コンテンツ（３６）と条件（３５）とを収集し、コンテンツ送信部（２８）は、コンテンツデータ（３１）を他の端末（４）に転送することにより、コンテンツ（３６）と条件（３５）とを他の端末（４）に転送する。
【発明の効果】
【００３４】
本発明による移動体通信端末及びコンテンツ管理方法は、コンテンツの転送をより効果的に制限することができる。
【発明を実施するための最良の形態】
【００３５】
図面を参照して、本発明による移動体通信端末の実施の形態を記載する。その移動体通信端末１は、図１に示されているように、移動体通信システム２に適用されている。移動体通信システム２は、複数の通信回線網を介して複数の情報処理装置（コンピュータ）が互いに双方向に情報を伝送することができるように接続されている。その複数の情報処理装置は、移動体通信端末１とコンテンツサーバ３と移動体通信端末４とから形成されている。コンテンツサーバパーソナルコンピュータ、ワークステーションに例示される情報処理装置である。移動体通信端末１と移動体通信端末４とは、携帯電話機に例示される情報処理装置である。コンテンツサーバ３は、近距離通信回線５を介して、移動体通信端末１に双方向に情報を伝送することができるように接続されている。移動体通信端末４は、移動体通信網６を介して、移動体通信端末１に双方向に情報を伝送することができるように接続されている。移動体通信端末４は、移動体通信端末１と同様の構成をしている。
【００３６】
近距離通信回線５は、到達距離が近距離である媒体を用いて情報を伝達する。近距離通信回線５としては、赤外線通信、Ｂｌｕｅｔｏｏｔｈ、無線ＬＡＮ（ＩＥＥＥ８０２．１１ｂ）などが例示される。移動体通信網６は、携帯電話機による通話で公衆に利用される公衆回線網である。なお、移動体通信網６は、赤外線通信、Ｂｌｕｅｔｏｏｔｈ、無線ＬＡＮなどに例示される近距離通信回線に置換することもできる。
【００３７】
移動体通信システム２は、さらに、ＧＰＳ衛星７と特定データ出力装置８とを備えている。ＧＰＳ衛星７は、カーナビなどに利用されているＧＰＳ（Ｇｒｏｂａｌ  Ｐｏｓｉｔｉｏｎｉｎｇ  Ｓｙｓｔｅｍ）に適用され、地球の周りを公転し、電波を介して電波の送信時刻、軌道位置などを示す観測データを発信する。特定データ出力装置８は、移動体通信システム２に複数が設置されている。特定データ出力装置８は、それぞれ、近距離無線データ通信により、特定データ出力装置８を互いに識別する特定データを出力する。その近距離無線データ通信は、赤外線通信、Ｂｌｕｅｔｏｏｔｈ、無線ＬＡＮなどが例示される。なお、特定データ出力装置８は、基地局１局あたりのカバー範囲を小さいマイクロセル方式の移動体通信網の基地局に置換することもできる。その基地局は、特定データ出力装置８と同様に、基地局を互いに識別する特定データを出力する。
【００３８】
コンテンツサーバ３は、コンテンツを条件に対応付けて記録するデータベースを備えている。そのコンテンツとしては、音楽や映像、ゲームなどのコンテンツ、電子商取引などで届けられるコンテンツ、いわゆるリッチ・コンテンツが例示される。その条件は、移動体通信端末１が配置される位置の範囲を示し、緯度・経度の範囲、または、特定データ出力装置８から出力される特定データを示している。その条件は、そのコンテンツの転送を制限したい者により設定される。コンテンツサーバ３は、さらに、近距離通信回線５を介して移動体通信端末１からコンテンツを要求されたときに、近距離通信回線５を介して移動体通信端末１にそのコンテンツをその条件とともに公開する。
【００３９】
図２は、移動体通信端末１を詳細に示している。移動体通信端末１は、アンテナ１１と送受信部１２と符号化／復号化部１３と入出力部１４と記憶部１５とＧＰＳ装置１６と特定データ受信装置１７と制御部１８とを備えている。
【００４０】
アンテナ３１は、電波を受信して、その電波を電気信号に変換して送受信部１２に出力する。送受信部１２は、その電気信号を所定の通信方式に従って、情報処理装置により処理可能な形式の情報に変換する。その通信方式としては、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）が例示される。このとき、送受信部１２は、分離結合器、発振器、ＰＬＬ（Ｐｈａｓｅ  Ｌｏｃｋｅｄ  Ｌｏｏｐ）、変復調部、及びベースバンド信号処理を行う拡散・逆拡散器、Ｒａｋｅ受信器などから構成される。符号化／復号化部１３は、送受信部１２により変換された情報を復号化して制御部１８に出力する。符号化／復号化の方式としては、音声通話用の送受信データであれば、ＰＣＭ（Ｐｕｌｓｅ  Ｃｏｄｅ  Ｍｏｄｕｌａｔｉｏｎ）、ＡＭＲ（Ａｄａｐｔｉｖｅ  Ｍｕｌｔｉ  Ｒａｔｅ）が例示され、マルチメディア通信用の送受信データであれば、３Ｇ−３２４Ｍ、Ｈ．２６３、ＭＰＥＧ−４、ＭＰＥＧ−２などが例示される。
【００４１】
符号化／復号化部１３は、さらに、制御部１８により生成された情報を符号化して送受信部１２に出力する。送受信部１２は、その符号化された情報を電気信号に変換してアンテナ１１に出力する。アンテナ１１は、その電気信号を電波に変換して出力する。
【００４２】
記憶部１５は、送受信データを保存する。記憶部１５としては、ＲＯＭ、ＲＡＭ、ＩＣカード、メモリカード、著作権保護機能つきメモリカード、ディスク装置などが例示される。
【００４３】
入出力部１４は、移動体通信端末１における外部インターフェースの機能を担う。すなわち、入出力部１４は、通話装置、表示装置、入力装置、データ通信用インターフェースから形成されている。その通話装置としては、マイク、スピーカなどに例示される。その表示装置としては、、ＬＣＤが例示されるその入力装置としては、ボタンスイッチ、ＣＣＤカメラが例示される。そのデータ通信用インターフェースとしては、ＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈなどが例示される。
【００４４】
ＧＰＳ装置１６は、ＧＰＳ衛星７が発信する電波を受信して、その電波に基づいてＧＰＳ装置１６が配置される位置を算出する。特定データ受信装置１７は、特定データ出力装置８から出力される特定データを受信する。
【００４５】
制御部１８は、ＣＰＵであり、コンピュータプログラムであるコンテンツ収集部２１とコンテンツ表示部２２とコンテンツ記録部２３と送信条件取得部２４と位置測定部２５と特定データ受信部と判別部２７とコンテンツ送信部とを備えている。
【００４６】
コンテンツ収集部２１は、近距離通信回線５を介してコンテンツサーバ３にコンテンツを要求し、近距離通信回線５を介してそのコンテンツを示すコンテンツデータをコンテンツサーバ４からダウンロードする。コンテンツ表示部２２は、コンテンツ収集部２１によりダウンロードされたコンテンツを入出力部１４の表示装置に表示する。コンテンツ記録部２３は、コンテンツ収集部２１によりダウンロードされたコンテンツデータを記憶部１５に記録する。
【００４７】
送信条件取得部２４は、コンテンツ収集部２１によりダウンロードされたコンテンツデータからコンテンツに添付された条件を抽出する。その条件は、移動体通信端末１がそのコンテンツを移動体通信端末４に転送可能である移動体通信端末１の位置の範囲を示している。位置測定部２５は、ＧＰＳ装置１６から移動体通信端末１の位置を収集する。特定データ受信部２６は、特定データ受信装置１７から特定データ出力装置８から出力される特定データを収集する。
【００４８】
判別部２７は、位置測定部２５により収集された移動体通信端末１の位置が送信条件取得部２４により抽出された条件を満たすかどうかを判別する。判別部２７は、さらに、その位置がその条件を満たすときに、コンテンツ送信部２８の動作を許可し、その位置がその条件を満たさないときに、コンテンツ送信部２８の動作を禁止する。判別部２７は、特定データ受信部２６により収集された特定データが送信条件取得部２４により抽出された条件を満たすかどうかを判別する。判別部２７は、さらに、その特定データがその条件を満たすときに、コンテンツ送信部２８の動作を許可し、その特定データがその条件を満たさないときに、コンテンツ送信部２８の動作を禁止する。コンテンツ送信部２８は、移動通信網６を介して、コンテンツ収集部２１によりダウンロードされたコンテンツデータを移動体通信端末４に転送する。
【００４９】
図３は、移動体通信システム２で使用されるコンテンツデータを示している。そのコンテンツデータ３１は、ヘッダ部分３２とペイロード部分３３とから形成されている。ヘッダ部分３２は、コンテンツＩＤ３４と条件３５とを示している。ペイロード部分３３は、コンテンツ３６を示している。コンテンツＩＤ３４は、コンテンツ３６を識別している。条件３５は、移動体通信端末１がコンテンツ３６を転送することができる位置の範囲を示している。
【００５０】
本発明によるコンテンツ管理方法の実施の形態は、移動体通信システム２により実行され、コンテンツを移動体通信端末１に公開する動作とそのコンテンツを移動体通信端末１から移動体通信端末４に転送する動作とを備えている。
【００５１】
図４は、コンテンツを移動体通信端末１に公開する動作を示している。移動体通信端末１のユーザは、近距離通信回線５の通信可能範囲にいるときに、移動体通信端末１を用いて、コンテンツサーバ３にコンテンツを要求する。コンテンツサーバ３は、その要求に応答して、そのコンテンツを含むコンテンツデータを移動体通信端末１に配信する（ステップＳ１）。そのコンテンツデータは、そのコンテンツに対応する条件をさらに含んでいる。移動体通信端末１は、そのコンテンツデータを入出力部１４の表示装置に表示する（ステップＳ２）。移動体通信端末１は、さらに、そのコンテンツデータを記憶部１５に記録する（ステップＳ３）。
【００５２】
このような動作によれば、移動体通信システム２は、近距離通信回線５の通信可能範囲に移動体通信端末１のユーザを集めることができる。
【００５３】
図５は、コンテンツを移動体通信端末１から移動体通信端末４に転送する動作を示している。移動体通信端末１は、ユーザによりコンテンツを移動体通信端末４に転送するように操作されたときに、そのコンテンツを含むコンテンツデータから条件を抽出する（ステップＳ１１）。移動体通信端末１は、ＧＰＳ装置１６から移動体通信端末１の位置を取得する（ステップＳ１２）。移動体通信端末１は、その位置がその条件を満たすときに（ステップＳ１３、ＹＥＳ）、そのコンテンツデータを移動体通信端末４に送信する（ステップＳ１４）。移動体通信端末４は、そのコンテンツデータを受信すると、そのコンテンツデータが示すコンテンツを記録して、そのコンテンツを表示装置に表示することができる。移動体通信端末１は、その位置がその条件を満たさないときに（ステップＳ１３、ＮＯ）、そのコンテンツデータを移動体通信端末４に送信しない。
【００５４】
このとき、移動体通信端末１は、条件に示される場所に配置されているときにのみ、コンテンツを他の移動体通信端末４に転送することができる。コンテンツを公開するユーザは、コンテンツサーバ４を用いて、コンテンツとともに条件を移動体通信端末１に配信することにより、そのコンテンツの転送をより効果的に制限することができる。
【００５５】
図６は、コンテンツを移動体通信端末１から移動体通信端末４に転送する他の動作を示している。移動体通信端末１は、間欠的に、特定データ受信装置１７から特定データ出力装置８から出力される特定データを取得する。移動体通信端末１は、ユーザによりコンテンツを移動体通信端末４に転送するように操作されたときに、そのコンテンツを含むコンテンツデータから条件を抽出する（ステップＳ２１）。移動体通信端末１は、その特定データがその条件を満たすときに（ステップＳ２２、ＹＥＳ）、そのコンテンツデータを移動体通信端末４に送信する（ステップＳ２３）。移動体通信端末１は、その位置がその条件を満たさないときに（ステップＳ２２、ＮＯ）、そのコンテンツデータを移動体通信端末４に送信しない。
【００５６】
このとき、移動体通信端末１は、条件に示される特定データにより識別される特定データ出力装置８の周辺に配置されているときにのみ、コンテンツを他の移動体通信端末４に転送することができる。コンテンツを公開するユーザは、コンテンツサーバ４を用いて、コンテンツとともに条件を移動体通信端末１に配信することにより、そのコンテンツの転送をより効果的に制限することができる。
【００５７】
移動体通信端末４は、移動体通信端末１と同様の機能を有している。このため、移動体通信端末４は、移動体通信端末１と同様にして、条件に示される場所に配置されているときに、コンテンツをさらに他の端末に転送することができる。移動体通信端末１は、さらに、条件に示される特定データにより識別される特定データ出力装置８の周辺に配置されているときにのみ、コンテンツを他の移動体通信端末４に転送することができる。このとき、コンテンツは、より確実に転送を制限される。
【図面の簡単な説明】
【００５８】
【図１】図１は、本発明による移動体通信システムの実施の形態を示すブロック図である。
【図２】図２は、本発明による移動体通信端末の実施の形態を示すブロック図である。
【図３】図３は、コンテンツデータを示す概念図である。
【図４】図４は、コンテンツを公開する動作を示すフローチャートである。
【図５】図５は、コンテンツを転送する動作を示すフローチャートである。
【図６】図６は、コンテンツを転送する他の動作を示すフローチャートである。
【符号の説明】
【００５９】
１  ：移動体通信端末
２  ：移動体通信システム
３  ：コンテンツサーバ
４  ：移動体通信端末
５  ：近距離通信回線
６  ：移動体通信網
７  ：ＧＰＳ衛星
８  ：特定データ出力装置
１１：アンテナ
１２：送受信部
１３：符号化／復号化部
１４：入出力部
１５：記憶部
１６：ＧＰＳ装置
１７：特定データ受信装置
１８：制御部
２１：コンテンツ収集部
２２：コンテンツ表示部
２３：コンテンツ記録部
２４：送信条件取得部
２５：位置測定部
２６：特定データ受信部
２７：判別部
２８：コンテンツ送信部
３１：コンテンツデータ
３２：ヘッダ部分
３３：ペイロード部分
３４：コンテンツＩＤ
３５：条件
３６：コンテンツ
【図１】
2005141688.tif 000003
【図２】
2005141688.tif 000004
【図３】
2005141688.tif 000005
【図４】
2005141688.tif 000006
【図５】
2005141688.tif 000007
【図６】
2005141688.tif 000008